(57)【要約】【課題】ＬＥＤモジュール用コネクタの取り付け作業を容易に行なうことができ、しかも、設計上の配置の自由度が制限されることなく、ＬＥＤモジュール用コネクタに対して容易にＦＰＣ基板を接続できること。【解決手段】カバー部材１２のコネクタ収容部１２Ａに配されるコネクタ１０が、ＬＥＤモジュール２０におけるコンタクトパッド形成部が着脱可能に接続されるＬＥＤモジュール接続部３０Ｈと、フレキシブルケーブル１８の一端が着脱可能に接続されるケーブル接続部３０Ａと、ＬＥＤモジュール接続部３０Ｈおよびケーブル接続部３０Ａにそれぞれ、配される接点部を一体的に有するコンタクト端子３２とを含んでなるもの。【選択図】図１
2008218224.tif 000002
【特許請求の範囲】
【請求項１】
ＬＥＤモジュールの被接続部を着脱可能に接続するＬＥＤモジュール接続部と、フレキシブルケーブルの被接続部を着脱可能に接続するケーブル接続部と、を有するケーシングと、
前記ケーシング内に配され、前記ＬＥＤモジュールの被接続部に当接する接点部および前記フレキシブルケーブルの被接続部に当接する接点部を一体に有し、前記ＬＥＤモジュールの被接続部と前記フレキシブルケーブルの被接続部とを電気的に接続するコンタクト端子と、
を具備して構成されるＬＥＤモジュール用コネクタ。
【請求項２】
前記コンタクト端子の固定部は、前記ケーシングの溝に圧入され固定されることを特徴とする請求項１記載のＬＥＤモジュール用コネクタ。
【請求項３】
前記フレキシブルケーブルの被接続部に当接する接点部は、前記ケーシングの内面と協働して該フレキシブルケーブルの被接続部を挟持することを特徴とする請求項１記載のＬＥＤモジュール用コネクタ。
【請求項４】
前記ケーシングは、前記ＬＥＤモジュールとは別個に設けられる位置決めピンが挿入される孔を有することを特徴とする請求項１記載のＬＥＤモジュール用コネクタ。
【発明の詳細な説明】
【技術分野】
【０００１】
本発明は、ＬＥＤモジュールを着脱可能に接続できるＬＥＤモジュール用コネクタに関する。
【背景技術】
【０００２】
照明装置の光源としてＬＥＤモジュールが実用に供されている。このようなＬＥＤモジュールは、例えば、複数個のＬＥＤベアチップが格子状に配列されるＬＥＤ光源部と、各ＬＥＤベアチップに電気的に接続される給電端子を有しそのＬＥＤ光源部を支持する樹脂基板およびメタルベース基板とを主な要素として含んで構成されている。メタルベース基板は、ＬＥＤ光源部において発生する熱を外部に放熱するためにアルミニウム等の材料で作られている。また、その各給電端子は、その樹脂基板の端部に互いに平行に所定の間隔で形成されている。
【０００３】
そのようなＬＥＤモジュールは、ＬＥＤモジュール用コネクタを介して照明装置に対し着脱可能に配される。ＬＥＤモジュール用コネクタ（ＬＥＤ光源用ソケットとも呼ばれる）は、例えば、ヒートシンクの平坦面上に配される。ＬＥＤモジュール用コネクタは、ヒートシンクの平坦面上に配されるロアフレームと、そのロアフレームに対して回動可能に支持され、ＬＥＤモジュールを着脱可能に支持するアッパーフレームとを主な要素として含んで構成されている。
【０００４】
アッパーフレームの端部には、供給される電力をＬＥＤモジュールの各給電端子に当接してＬＥＤモジュールに供給する給電端子が設けられている。各給電端子の一端は、外部に向けて突出しており、電力供給配線部に半田付け固定により接続される。
【０００５】
また、導光板に隣接して配されるコネクタ一体型ＬＥＤにおいては、例えば、特許文献１にも示されるように、弾性体コネクタおよびコネクタ一体型ＬＥＤが液晶パネルに対向配置されるＰＣＢ基板における共通の平面上に設けられる構成が提案されている（図４参照）。その弾性体コネクタは、一端が液晶パネルに接続されるＦＰＣ基板の他端に接続されている。このような場合、液晶パネルとＰＣＢ基板との間に配される弾性体コネクタは、液晶パネルおよびＰＣＢ基板を挟持する保持固定具により保持されている。
【０００６】
【特許文献１】特開２００４−００６７９２号公報
【発明の開示】
【発明が解決しようとする課題】
【０００７】
上述のようなＬＥＤモジュール用コネクタにおいて、アッパーフレームに設けられる各給電端子の一端が、電力供給配線部に半田付け固定されているのでＬＥＤモジュールの高輝度化に伴い給電端子の数量が増大した場合、ＬＥＤモジュール用コネクタを照明装置に組み付けるための半田付け作業が煩雑となり、あるいは、照明装置の保守のためのＬＥＤモジュール用コネクタの交換作業も煩雑となるという問題を伴うこととなる。
【０００８】
また、特許文献１にも示されるコネクタ一体型ＬＥＤの場合、弾性体コネクタおよびコネクタ一体型ＬＥＤをＰＣＢ基板の共通の平面上に設ける必要があるので弾性体コネクタにおける設計上の配置の自由度が制限される。さらに、弾性体コネクタおよびＦＰＣ基板が必要とされるので実装されるコネクタ一体型ＬＥＤの数量が増大するにつれて、比較的狭い空間内に実装される場合、ＰＣＢ基板における弾性体コネクタの実装面積を確保することが困難となる虞がある。
【０００９】
以上の問題点を考慮し、本発明は、ＬＥＤモジュールを着脱可能に接続できるＬＥＤモジュール用コネクタであって、ＬＥＤモジュール用コネクタの取り付け作業を容易に行なうことができ、しかも、コネクタにおける設計上の配置の自由度が制限されることなく、ＬＥＤモジュール用コネクタに対して容易にＦＰＣ基板を接続できるＬＥＤモジュール用コネクタを提供することを目的とする。
【課題を解決するための手段】
【００１０】
上述の目的を達成するために、本発明に係るＬＥＤモジュール用コネクタは、ＬＥＤモジュールの被接続部を着脱可能に接続するＬＥＤモジュール接続部と、フレキシブルケーブルの被接続部を着脱可能に接続するケーブル接続部と、を有するケーシングと、ケーシング内に配され、ＬＥＤモジュールの被接続部に当接する接点部およびフレキシブルケーブルの被接続部に当接する接点部を一体に有し、ＬＥＤモジュールの被接続部とフレキシブルケーブルの被接続部とを電気的に接続するコンタクト端子と、を備えて構成される。
【発明の効果】
【００１１】
以上の説明から明らかなように、本発明に係るＬＥＤモジュール用コネクタによれば、
ケーシングが、ＬＥＤモジュールの被接続部を着脱可能に接続するＬＥＤモジュール接続部と、フレキシブルケーブルの被接続部を着脱可能に接続するケーブル接続部と、を有するのでＬＥＤモジュール用コネクタの取り付け作業を容易に行なうことができ、しかも、
ＬＥＤモジュールの被接続部を着脱可能に接続できるのでケーシングにおける設計上の配置の自由度が制限されることなく、ＬＥＤモジュール用コネクタに対して容易にＦＰＣ基板を接続できる。
【発明を実施するための最良の形態】
【００１２】
図３は、本発明に係るＬＥＤモジュール用コネクタの第１実施例を備える照明装置を概略的に示す。
【００１３】
照明装置は、ＬＥＤモジュール２０を収容する収容部１４Ｂを有するヒートシンク１４と、ヒートシンク１４の収容部１４Ｂを覆うカバー部材１２と、カバー部材１２のコネクタ収容部１２Ａに配され、ＬＥＤモジュール２０とフレキシブルケーブル１８とを電気的に接続するコネクタ１０とを主な要素として含んで構成されている。
【００１４】
ＬＥＤモジュール２０は、矩形状の基板における一方の表面に放熱用部材が配されている。また、基板における他方の表面には、図示が省略されるＬＥＤ光源部、および、そのＬＥＤ光源部に電気的に接続されるコンタクトパッドが複数個、例えば、６個形成されている。６個のコンタクトパッドは、例えば、その基板の一端に沿って互いに略平行に形成されている。
【００１５】
フレキシブルケーブル１８は、例えば、フラットケーブル（ＦＦＣ）、または、フレキシブル配線基板（ＦＰＣ；ｆｌｅｘｉｂｌｅ  ｐｒｉｎｔｅｄ  ｃｉｒｃｕｉｔ）であってもよい。フレキシブルケーブル１８の一端は、後述するコネクタ１０のコンタクト端子に接続され、また、フレキシブルケーブル１８の他端は、照明装置本体に設けられるコネクタ等（不図示）に接続される。
【００１６】
アルミニウム合金材料で円柱状に作られるヒートシンク１４は、図８に拡大されて示されるように、一方の端面部にＬＥＤモジュール２０を収容する収容部１４Ｂが形成されている。収容部１４Ｂは、後述する同一の直径を有するカバー部材１２の端面に向けて開口している。収容部１４Ｂを形成する底面部には、熱伝導性を有する薄い熱伝導性シート２２が配されている。熱伝導性シート２２の上面には、ＬＥＤモジュール２０の放熱用部材が密着されている。
【００１７】
ヒートシンク１４における収容部１４Ｂに隣接した位置には、フレキシブルケーブル１８が通過するスリット１４ａが形成されている。
【００１８】
樹脂または金属材料で成形されるカバー部材１２は、図２および図３に示されるように、ＬＥＤモジュール２０のＬＥＤ光源部から照射される光ビームＬＢが通過する透孔１２ａを中央部に有している。透孔１２ａの周縁には、円錐面１２ｃが形成されている。また、円錐面１２ｃの一部が切り欠かれた一対の平坦部には、小ネジＢｓが挿入される孔１２ｂの一端が開口している。孔１２ｂは、図３に示されるように、透孔１２ａの中心軸線に略平行に貫通している。これにより、２本の小ネジＢｓがそれぞれ孔１２ｂを介してヒートシンク１４の雌ねじ孔に捩じ込まれることにより、カバー部材１２がヒートシンク１４の載置面に固定されることとなる。
【００１９】
また、カバー部材１２において透孔１２ａに隣接し、ヒートシンク１４のスリット１４ａに向かい合う位置には、図８に拡大されて示されるように、後述するコネクタ１０を収容するコネクタ収容部１２Ａが形成されている。
【００２０】
コネクタ１０は、図１に拡大されて示されるように、上述のＬＥＤモジュール２０におけるコンタクトパッド形成部が着脱可能に接続されるＬＥＤモジュール接続部３０Ｈと、フレキシブルケーブル１８の一端が着脱可能に接続されるケーブル接続部３０Ａと、ＬＥＤモジュール接続部３０Ｈおよびケーブル接続部３０Ａにそれぞれ、配される接点部を有する２個のコンタクト端子３２とを主な要素として含んで構成されている。
【００２１】
ケーブル接続部３０Ａの上部を形成する外殻部としての樹脂製のケーシング３０の中央には、図示が省略される位置決めピンが挿入される位置決め用の孔３０ａがケーシング３０の表面に対し垂直に貫通し内側に連通している。その位置決めピンは、上述のコネクタ収容部１２Ａを形成する内壁部にその表面に対し垂直に突出して形成されている。また、孔３０ａの両脇には、それぞれ、後述するコンタクト端子３２の接点部がそれぞれ露出するスリット３０ｂが互いに略平行に所定の間隔で４箇所に形成されている。
【００２２】
また、ケーブル接続部３０Ａの上部を形成するケーシング３０の内部には、コンタクト端子３２の固定部が圧入される溝３０Ｇが、上述のスリット３０ｂに対応した所定の間隔をもって２箇所に並設されている。溝３０Ｇは、孔３０ａの中心軸線を横切るように貫通している。
【００２３】
ケーブル接続部３０Ａには、図６および図７に示されるように、接続されるフレキシブルケーブル１８の一端を受け止めるケーブル支持台３０Ｋが形成されている。ケーブル支持台３０Ｋには、コンタクト端子の各端子部を個別に受け止める比較的浅い溝が複数個形成されている。
【００２４】
これにより、ケーブル支持台３０Ｋの上面とケーブル接続部３０Ａの上壁との間に、フレキシブルケーブル１８の一端が挿入されるスリットが、形成されることとなる。
【００２５】
そのスリットに連通する内部空間を形成する内壁には、図７に示されるように、フレキシブルケーブル１８の先端の一部が当接されることにより、フレキシブルケーブル１８のコンタクト端子３２の接点部に対する位置決めを行なう位置決め部３０ｔが複数箇所に設けられている。
【００２６】
これにより、フレキシブルケーブル１８のコンタクト端子３２の接点部に対する位置決めは、スリットの周縁でフレキシブルケーブル１８の両側部が案内され、かつ、フレキシブルケーブル１８の先端の一部が位置決め部３０ｔに当接することによりなされる。
【００２７】
ＬＥＤモジュール接続部３０Ｈは、ケーブル支持台３０Ｋの下方の位置に形成されている。ＬＥＤモジュール接続部３０Ｈの下部を形成するケーシング３０には、図５および図７に示されるように、ＬＥＤモジュール２０におけるコンタクトパッド形成部を受け止めるモジュール支持台３０Ｂが形成されている。モジュール支持台３０Ｂの中央部には、モジュール支持台３０Ｂの上方部分を二つに分割する仕切壁３０ＢＰが形成されている。
【００２８】
これにより、挿入されたＬＥＤモジュール２０におけるコンタクトパッド形成部の被係合部、例えば、段差部が、図８に示されるように、仕切壁３０ＢＰの前端部に係合されることにより、ＬＥＤモジュール２０のコンタクトパッドのケーシングおよびコンタクト端子３２の接点部に対する位置決めがなされることとなる。
【００２９】
ＬＥＤモジュール接続部３０Ｈは、モジュール支持台３０Ｂの上方を孔３０ａの中心軸線を横切るように貫通している。これにより、スリットがケーブル支持台３０Ｋとモジュール支持台３０Ｂとの間に形成されることとなる。
【００３０】
例えば、りん青銅で作られているコンタクト端子３２は、図９（Ａ）および（Ｂ）に示されるように、上述の溝３０Ｇに圧入され固定される固定部３２Ｂと、固定部３２Ｂの一方の端部に一端が一体に形成される２本のケーブル用端子３２ＣＡと、固定部３２Ｂの他方の端部に一端が一体に形成される３本のモジュール用端子３２ＣＢとを主な要素として含んで構成されている。
【００３１】
一対のケーブル用端子３２ＣＡは、平板状に形成される固定部３２Ｂの一方の端部に連なり他方の端部に向けて上方を通過して折り曲げられており、所定の間隔をもって互いに平行に弾性変位可能に形成されている。各ケーブル用端子３２ＣＡは、図８に示されるように、フレキシブルケーブル１８の電極パッドに当接し押圧する接点部を先端部に有している。各ケーブル用端子３２ＣＡは、ケーブル支持台３０Ｋと協働してその電極パッドを挟み込む形式とされる。
【００３２】
一方、３本のモジュール用端子３２ＣＢは、固定部３２Ｂの他方の端部に連なり一方の端部に向けて下方を通過して折り曲げられており、所定の間隔をもって互いに平行に弾性変位可能に形成されている。各モジュール用端子３２ＣＢは、図８に示されるように、ＬＥＤモジュール２０の各コンタクトパッドに当接し押圧する接点部を先端部に有している。
【００３３】
従って、コンタクト端子３２のケーブル用端子３２ＣＡは、挟み込み形式により安定した接触圧を得ることができる。また、コンタクト端子３２は、一体型端子なので製造上のコストの低減が図られる。
【００３４】
斯かる構成において、コネクタ１０をカバー部材１２のコネクタ収容部１２Ａに組み付けるにあたっては、予め、フレキシブルケーブル１８の電極パッドがケーブル接続部３０Ａにおけるコンタクト端子３２の一対のケーブル用端子３２ＣＡに接続される。
【００３５】
次に、コネクタ１０の孔３０ａとカバー部材１２の位置決めピンとが嵌合されるように
コネクタ１０がコネクタ収容部１２Ａに挿入される。従って、コネクタ１０がカバー部材１２に支持されることとなる。
【００３６】
そして、コネクタ１０が装着されたカバー部材１２をヒートシンク１４に組み付けるにあたっては、予め、フレキシブルケーブル１８の一端をスリット１４ａに挿入した状態で
また、ＬＥＤモジュール２０がＬＥＤモジュール接続部３０Ｈに接続された状態で、カバー部材１２がヒートシンク１４の載置面に載置される。これにより、ＬＥＤモジュール２０が収容部１４Ｂに収容されることとなる。その際、カバー部材１２がヒートシンク１４に対して小ネジＢｓにより締結されるのでＬＥＤモジュール２０の放熱用部材が熱伝導性シート２２に対して押圧されることとなる。
【００３７】
従って、半田付け作業が不要となるのでＬＥＤモジュール用コネクタの取り付け作業を容易に行なうことができ、しかも、コネクタ１０がプリント配線基板等を要することなくカバー部材１２に支持されるので設計上の配置の自由度が制限されることなく、ＬＥＤモジュール用コネクタに対して容易にＦＰＣ基板を接続できることとなる。
【００３８】
図１０および図１１は、本発明に係るＬＥＤモジュール用コネクタの第２実施例を備える照明装置を概略的に示す。
【００３９】
図３に示される例においては、ＬＥＤモジュール２０のコンタクトパッド形成部は、コネクタ１０のモジュール支持台３０Ｂに支持されるが、その代わりに、図１０および図１１に示される例においては、ＬＥＤモジュール２０のコンタクトパッド形成部がヒートシンク２４に形成される段差部２４Ｓにより支持されるものとされる。
【００４０】
なお、図１０および図１１においては、図２および図３に示される例において同一とされる構成要素について同一の符号を付して示し、その重複説明を省略する。
【００４１】
照明装置は、ＬＥＤモジュール２０を収容する収容部２４Ｂを有するヒートシンク２４と、ヒートシンク２４の収容部２４Ｂを覆うカバー部材１２と、カバー部材１２のコネクタ収容部１２Ａに配され、ＬＥＤモジュール２０とフレキシブルケーブル１８とを電気的に接続するコネクタ４０とを主な要素として含んで構成されている。
【００４２】
アルミニウム合金材料で円柱状に作られるヒートシンク２４は、図１７に拡大されて示されるように、一方の端面部にＬＥＤモジュール２０を収容する収容部２４Ｂが形成されている。収容部２４Ｂは、後述するカバー部材１２の端面に向けて開口している。収容部２４Ｂを形成する底面部には、熱伝導性を有した薄い熱伝導性シート２２が配されている。熱伝導性シート２２の上面には、ＬＥＤモジュール２０の放熱用部材が密着されている。
【００４３】
ヒートシンク２４における収容部２４Ｂに隣接した位置には、フレキシブルケーブル１８が通過するスリット２４ａが形成されている。スリット２４ａと収容部２４Ｂとの間には、ＬＥＤモジュール２０のコンタクトパッド形成部を受け止め支持する段差部２４Ｓが形成されている。
【００４４】
コネクタ４０は、図１２に拡大されて示されるように、上述のＬＥＤモジュール２０におけるコンタクトパッド形成部が着脱可能に接続されるＬＥＤモジュール接続部５０Ｈと、フレキシブルケーブル１８の一端が着脱可能に接続されるケーブル接続部５０Ａと、ＬＥＤモジュール接続部５０Ｈおよびケーブル接続部５０Ａにそれぞれ、配される接点部を有する２個のコンタクト端子３２とを主な要素として含んで構成されている。
【００４５】
ケーブル接続部５０Ａの上部を形成する外殻部としての樹脂製のケーシング５０の中央には、図示が省略される位置決めピンが挿入される位置決め用の孔５０ａがケーシング５０の表面に垂直に貫通し内側に連通している。その位置決めピンは、上述のコネクタ収容部１２Ａを形成する内壁部にその表面に垂直に突出して形成されている。また、孔５０ａの両脇には、それぞれ、後述するコンタクト端子３２の接点部がそれぞれ露出するスリット５０ｂが互いに略平行に所定の間隔で４箇所に形成されている。
【００４６】
また、ケーブル接続部５０Ａの上部を形成するケーシング５０の内部には、コンタクト端子３２の固定部が圧入される溝５０Ｇが、上述のスリット５０ｂに対応した所定の間隔をもって２箇所に並設されている。溝５０Ｇは、孔５０ａの中心軸線を横切るように貫通している。
【００４７】
ケーブル接続部５０Ａには、図１５および図１６に示されるように、接続されるフレキシブルケーブル１８の一端を受け止めるケーブル支持台５０Ｋが形成されている。ケーブル支持台５０Ｋには、コンタクト端子の各端子部を個別に受け止める比較的浅い溝が複数個形成されている。
【００４８】
これにより、ケーブル支持台５０Ｋの上面とケーブル接続部５０Ａの上壁との間に、フレキシブルケーブル１８の一端に挿入されるスリットが形成されることとなる。
【００４９】
そのスリットに連通する内部空間を形成する内壁には、図１６に示されるように、フレキシブルケーブル１８の先端の一部が当接されることにより、フレキシブルケーブル１８のコンタクト端子３２の接点部に対する位置決めを行なう位置決め部５０ｔが複数箇所に設けられている。
【００５０】
従って、フレキシブルケーブル１８のコンタクト端子３２の接点部に対する位置決めは、スリットの周縁でフレキシブルケーブル１８の両側部が案内され、かつ、フレキシブルケーブル１８の先端の一部が位置決め部５０ｔに当接することによりなされる。
【００５１】
ＬＥＤモジュール接続部５０Ｈは、ケーブル支持台５０Ｋの下方の位置に形成されている。ＬＥＤモジュール接続部５０Ｈの下部を形成するケーシング５０には、図１４および図１６に示されるように、ＬＥＤモジュール２０におけるコンタクトパッド形成部が通過する開口部が形成されている。ケーシング５０におけるその開口部の周縁を形成する部分
の中央部には、その周縁部を二つに分割する仕切壁５０ＢＰが形成されている。
【００５２】
これにより、挿入されたＬＥＤモジュール２０におけるコンタクトパッド形成部の被係合部、例えば、段差部が、図１７に示されるように、仕切壁５０ＢＰの前端部に係合されることにより、ＬＥＤモジュール２０のコンタクトパッドのケーシングおよびコンタクト端子３２の接点部に対する位置決めがなされることとなる。
【００５３】
ＬＥＤモジュール接続部５０Ｈは、ケーブル支持台５０Ｋの下方を孔３０ａの中心軸線を横切るように貫通している。
【００５４】
斯かる構成において、コネクタ４０をカバー部材１２のコネクタ収容部１２Ａに組み付けるにあたっては、予め、フレキシブルケーブル１８の電極パッドがケーブル接続部５０Ａにおけるコンタクト端子３２の一対のケーブル用端子３２ＣＡに接続される。
【００５５】
次に、コネクタ４０の孔５０ａとカバー部材１２の位置決めピンとが嵌合されるように
コネクタ４０がコネクタ収容部１２Ａに挿入される。従って、コネクタ４０がカバー部材１２に支持されることとなる。
【００５６】
そして、コネクタ４０が装着されたカバー部材１２をヒートシンク２４に組み付けるにあたっては、予め、フレキシブルケーブル１８の一端をスリット２４ａに挿入した状態でカバー部材１２が、ＬＥＤモジュール２０が予め収容部２４Ｂに収容されたヒートシンク２４の載置面に載置される。その際、カバー部材１２がヒートシンク２４に対して小ネジＢｓにより締結されるのでＬＥＤモジュール２０の放熱板が熱伝導性シート２２に対して押圧されることとなる。
【００５７】
従って、半田付け作業が不要となるのでＬＥＤモジュール用コネクタの取り付け作業を容易に行なうことができ、しかも、コネクタ１０がプリント配線基板等を要することなくカバー部材１２に支持されるので設計上の配置の自由度が制限されることなく、ＬＥＤモジュール用コネクタに対して容易にＦＰＣ基板を接続できることとなる。
【図面の簡単な説明】
【００５８】
【図１】本発明に係るＬＥＤモジュール用コネクタの第１実施例の外観を示す斜視図である。
【図２】図１に示されるＬＥＤモジュール用コネクタが内蔵される照明装置の構成を概略的に示す平面図である。
【図３】図２におけるＩＩＩ−ＩＩＩ線に沿って示される部分断面図である。
【図４】図１に示される例における平面図である。
【図５】図１に示される例における正面図である。
【図６】図１に示される例における背面図である。
【図７】図４におけるＶＩＩ−ＶＩＩ線に沿って示される断面図である。
【図８】図３に示される装置の要部を拡大して示す部分断面図である。
【図９】（Ａ）および（Ｂ）は、それぞれ、図１に示される例に用いられるコンタクト端子を示す斜視図である。
【図１０】本発明に係るＬＥＤモジュール用コネクタの第２実施例が内蔵される照明装置の構成を概略的に示す平面図である。
【図１１】図１０におけるＸＩ−ＸＩ線に沿って示される断面図である。
【図１２】本発明に係るＬＥＤモジュール用コネクタの第２実施例の外観を示す斜視図である。
【図１３】図１２に示される例における平面図である。
【図１４】図１２に示される例における正面図である。
【図１５】図１２に示される例における背面図である。
【図１６】図１３におけるＸＶＩ−ＸＶＩ線に沿って示される断面図である。
【図１７】図１１に示される装置の要部を拡大して示す部分断面図である。
【符号の説明】
【００５９】
１０、４０    コネクタ
１２    カバー部材
１２Ａ    コネクタ収容部
１４、２４    ヒートシンク
１４Ｂ、２４Ｂ    収容部
１８    フレキシブルケーブル
２０    ＬＥＤモジュール
３２    コンタクト端子
３０、５０    ケーシング
【図１】
2008218224.tif 000003
【図２】
2008218224.tif 000004
【図３】
2008218224.tif 000005
【図４】
2008218224.tif 000006
【図５】
2008218224.tif 000007
【図６】
2008218224.tif 000008
【図７】
2008218224.tif 000009
【図８】
2008218224.tif 000010
【図９】
2008218224.tif 000011
【図１０】
2008218224.tif 000012
【図１１】
2008218224.tif 000013
【図１２】
2008218224.tif 000014
【図１３】
2008218224.tif 000015
【図１４】
2008218224.tif 000016
【図１５】
2008218224.tif 000017
【図１６】
2008218224.tif 000018
【図１７】
2008218224.tif 000019